(57)【要約】【課題】  植物を植栽した容器に給水するための給水部材の量を少なくでき、しかも、それを簡単に装着できるようにする。【解決手段】  本発明の植栽用フロート１は、植物Ｐを植栽した容器３を水Ｗに浮かせた状態で支持するように構成されているものであって、上面が容器３を支持するとともに下面が水Ｗに面するように形成された基体２と、前記上面及び前記下面を上下に貫通するように形成された貫通穴１１とを備えている。容器３の底面が水面よりも高くなるように浮力が設定されるとともに、貫通穴１１が、それを介して容器３に給水するための給水部材１５を装着可能に構成されている。【選択図】      図１
2017216887.tif 000002
【特許請求の範囲】
【請求項１】
植物を植栽した容器を水に浮かせた状態で支持するように構成されている植栽用フロートであって、
上面が前記容器を支持するとともに下面が前記水に面するように形成された基体と、
前記上面及び前記下面を上下に貫通するように形成された貫通穴とを備え、
前記容器の底面が前記水面よりも高くなるように浮力が設定されるとともに、前記貫通穴が、それを介して前記容器に給水するための給水部材を装着可能に構成されている植栽用フロート。
【請求項２】
前記貫通穴は、その内周に前記給水部材の表面に食い込むように突部が設けられている請求項１記載の植栽用フロート。
【請求項３】
前記給水部材の中央部が前記上面側に配置されるとともに、該給水部材の両端部がそれぞれ別の前記貫通穴を通して前記下面に露出するようにして該給水部材が装着可能となるように、前記貫通穴は一対以上設けられている請求項１又は２に記載の植栽用フロート。
【請求項４】
前記貫通穴は、少なくとも前記上面側の開口が長穴状に形成されているとともに、対となる前記貫通穴の前記開口の長径同士が略長方形を構成する平行な２辺の位置関係にあるように構成されている請求項３記載の植栽用フロート。
【請求項５】
前記上面内に前記容器を留めるように位置決めするためのガイド部を備えている請求項１〜４のいずれか一項に記載の植栽用フロート。
【請求項６】
前記ガイド部は、前記容器の周囲を囲う壁状に形成されている請求項５記載の植栽用フロート。
【請求項７】
前記基体は、中空に形成されるとともに、その内部に浮力調整用の物質を出し入れ可能に構成されている請求項１〜６のいずれか一項に記載の植栽用フロート。
【請求項８】
前記基体は、他の前記基体と互いに連結するための連結部を備えている請求項１〜７のいずれか一項に記載の植栽用フロート。
【発明の詳細な説明】
【技術分野】
【０００１】
本発明は、植物を植栽した容器を水に浮かせた状態で支持する植栽用フロートに関するものである。
【背景技術】
【０００２】
従来の植栽用フロートとして、水質浄化能力を有する植物による水質浄化や、植物による良好な景観形成を目的として、水路や池等に設置される花筏を例示する（非特許文献１参照）。この花筏は、発泡スチロール製の板の表面に吸水用の厚手の不織布を巻いて筏を作成し、その上に、培養土を充填するとともに花を植栽した植栽トレーを載せるとともにＰＰ（ポリプロピレン）バンドで筏に固定している。
【先行技術文献】
【非特許文献】
【０００３】
【非特許文献１】澤勢貴通  他３名、「環境植物サンパチェンスを用いた花筏の改良・開発の検討」、農業農村工学会、農業農村工学会全国大会講演要旨集 pp.646-647、2015
【発明の概要】
【発明が解決しようとする課題】
【０００４】
ところが、従来の花筏には、次の課題がある。
（ａ）発泡スチロール製の板の表面に吸水用の厚手の不織布を巻いているため、多量の不織布が必要で、それを巻く手間も大きい。
（ｂ）植栽トレーをＰＰバンドで筏に固定しているため、多数のＰＰバンドが必要で、それを固定する手間も大きい。また、植栽トレーを載せ替える場合も、ＰＰバンドを外したり、新たに取り付けたりするのに手間が掛かる。
（ｃ）筏を発泡スチロール製の板で構成しているため、紫外線等による劣化が速く、ゴルフボール等による打撃にも弱い。
（ｄ）良好な景観形成を目的としているが、特に花が小さいときは、植栽トレーが目立ち、見た目が悪い。
（ｅ）植物にとって最適な水位を保つための浮力調整のために、筏の上に重しを載せると、見た目が低下する。
【課題を解決するための手段】
【０００５】
前記課題を解決するために、本発明の植栽用フロートは、
植物を植栽した容器を水に浮かせた状態で支持するように構成されている植栽用フロートであって、
上面が前記容器を支持するとともに下面が前記水に面するように形成された基体と、
前記上面及び前記下面を上下に貫通するように形成された貫通穴とを備え、
前記容器の底面が前記水面よりも高くなるように浮力が設定されるとともに、前記貫通穴が、それを介して前記容器に給水するための給水部材を装着可能に構成されている。
【０００６】
前記基体としては、前記容器を水に浮かせた状態で支持可能であれば特に限定されないが、中空に形成されている態様や、発泡材で形成されている態様等を例示する。
【０００７】
前記給水部材としては、前記貫通穴を介して前記容器に給水可能な部材であれば特に限定されないが、織布、不織布、スポンジ、綿等を例示する。
【０００８】
前記容器としては、前記給水部材から給水可能な態様であれば特に限定されないが、少なくとも前記給水部材と接する部分が網目、織布、不織布、スポンジ、綿等により形成されている態様を例示する。
【０００９】
この構成によれば、前記貫通穴に前記給水部材を通すだけで給水が可能なため、必要な給水部材の量が少なく、簡単に装着できる。また、前記基体を、中空の樹脂や金属等で構成したり、発泡体の表面を樹脂や金属で覆う構成にしたりにすれば、紫外線に強く、強度があり、ゴルフボール等の打撃にも強くすることができる。
【００１０】
前記植栽用フロートとしては、
前記貫通穴は、その内周に前記給水部材の表面に食い込むように突部が設けられている態様を例示する。
【００１１】
この構成によれば、前記給水部材が前記貫通穴から脱落することを防止できる。
【００１２】
前記植栽用フロートとしては、
前記給水部材の中央部が前記上面側に配置されるとともに、該給水部材の両端部がそれぞれ別の前記貫通穴を通して前記下面に露出するようにして該給水部材が装着可能となるように、前記貫通穴は一対以上設けられている態様を例示する。
【００１３】
この構成によれば、前記一対の貫通穴を介して前記給水部材が前記基体に係止されるので、前記給水部材を位置ずれし難くすることができる。
【００１４】
前記植栽用フロートとしては、
前記貫通穴は、少なくとも前記上面側の開口が長穴状に形成されているとともに、対となる前記貫通穴の前記開口の長径同士が略長方形を構成する平行な２辺の位置関係にあるように構成されている。
【００１５】
この構成によれば、前記一対の貫通穴の間において、前記給水部材を前記長径全体に広げた状態で配設することができ、前記容器に対し効率的に給水することができる。
【００１６】
前記植栽用フロートとしては、
前記上面内に前記容器を留めるように位置決めするためのガイド部を備えている態様を例示する。
【００１７】
前記ガイド部としては、前記容器を位置決め可能なものであれば特に限定されないが、前記上面やその周囲に凸部や凹部を設ける態様を例示する。
【００１８】
この構成によれば、前記容器を所定位置に載せるだけで位置決めされるので、前記容器を前記基体に位置決めするために、ＰＰバンドや結束バンド等の固定手段を用いる必要がなく、必要な資材と手間を省くことができる。
【００１９】
前記植栽用フロートとしては、
前記ガイド部は、前記容器の周囲を囲う壁状に形成されている態様を例示する。
【００２０】
この構成によれば、前記ガイド部により前記容器が外部から見えにくくなるので、見栄えの低下を防止できる。
【００２１】
前記植栽用フロートとしては、
前記基体は、中空に形成されるとともに、その内部に浮力調整用の物質を出し入れ可能に構成されている。
【００２２】
前記物質としては、特に限定されないが、粒状体、粉状体、液体、ゲル等を例示する。
【００２３】
この構成によれば、植物の生育に最適な水位となるように浮力を調整することができる。
【００２４】
前記植栽用フロートとしては、
前記基体は、他の前記基体と互いに連結するための連結部を備えている態様を例示する。
【００２５】
この構成によれば、設置場所の形状や広さに応じて複数の前記基体を適宜連結することができる。
【発明の効果】
【００２６】
本発明に係る植栽用フロートによれば、植物を植栽した容器に給水するために必要な給水部材の量を少なくでき、しかも、それを簡単に装着できるという優れた効果を奏する。
【図面の簡単な説明】
【００２７】
【図１】本発明を具体化した一実施形態に係る植栽用フロートの使用状態を示す正断面図である。
【図２】同植栽用フロートの平面図である。
【図３】同植栽用フロートの底面図である。
【図４】同植栽用フロートを正面側の図であり、（ａ）は正面図、（ｂ）は図２のＩＶｂ−ＩＶｂ端面図、（ｃ）は（ｂ）のｃ拡大図である。
【図５】同植栽用フロートを右側面側の図であり、（ａ）は右側面図、（ｂ）は図２のＶｂ−Ｖｂ端面図、（ｃ）は図２のＶｃ−Ｖｃ端面図である。
【図６】同植栽用フロートの正面、右側面及び平面を示す斜視図である。
【図７】同植栽用フロートの背面、左側面及び底面を示す斜視図である。
【図８】同植栽用フロートを複数連結した状態を示す斜視図である。
【発明を実施するための形態】
【００２８】
図１〜図８は本発明を具体化した第一実施形態の植栽用フロート１を示している。この植栽用フロート１は、図１に示すように、基体２により植物Ｐを植栽した容器３を水Ｗに浮かせた状態で支持するように構成されている。
【００２９】
容器３は、図１に示すように、内外を連通する矩形の穴３ａが碁盤目状に配設された受け箱状のカゴからなっている。本例では、容器３の内側に、不織布（又は布）製のシート４が配設されており、その中に培養土５が充填されるとともに植物Ｐ（本例では花）が植栽されている。
【００３０】
基体２は、図２〜図７に示すように、貫通穴１１、ガイド部１２及び連結部１３を備えており、上面が容器３を支持（本例では２つの容器３を支持可能に構成。）するとともに下面が水Ｗに面するように形成されている。本例の基体２は、中空に形成されるとともに、その内部へ浮力調整用の物質を出し入れするための開口２ａが設けられている。開口２ａは、スクリュー式のキャップ１４が着脱可能に構成されており、それによって開口２ａが密閉可能になっている。開口２ａを介して基体２の中に、粒状体、粉状体、液体、ゲル等の物質を出し入れし、植物Ｐを植栽した容器３の底面が水面よりも高くなるように適宜浮力を調節することが可能になっている。
【００３１】
貫通穴１１は、基体２の上面及び下面を上下に貫通するように形成されており、それを介して容器３に給水するための給水部材１５を装着可能に構成されている。貫通穴１１の内周には、給水部材１５の表面に食い込むようにする凸部としての突条１１ａが全周にわたって設けられている。本例では、貫通穴１１は、一対設けられており、一対の貫通穴１１に対して１枚の給水部材１５が設けられるようになっている。本例の貫通穴１１は、図２に示すように、開口が長穴状に形成されているとともに、対となる貫通穴１１の前記開口の長径同士が略長方形を構成する平行な２辺の位置関係にあるように構成されている。
【００３２】
給水部材１５は、本例では不織布が用いられており、図１に示すように、中央部が基体２の上面側に配置されるとともに、両端部が当該一対の貫通穴１１を通して基体２の下面に露出するように装着される。
【００３３】
ガイド部１２は、基体２の上面内に容器３を留めるように位置決めするためのものである。本例のガイド部１２は、基体２の上面に載せられる２つの容器３の周囲を囲う壁状に形成されている外周部１２ａと、両容器３の間を仕切る突条状に形成されている仕切部１２ｂとにより構成されている。
【００３４】
連結部１３は、他の基体２と互いに連結するためのものであり、本例では、基体２の四隅に、それぞれ平面視で基体２の中心に対して放射状に突設された突片となっている。各連結部１３は、連結時に、右側のものが他の基体２の左側の連結部１３の上側に位置し、左側のものが他の基体２の右側の連結部１３の下側に位置するように高さを変えて配設されている。各連結部１３にはそれを上下に貫通する連結穴１３ａが設けられており、複数のフロート１の連結部１３の連結穴１３ａ同士の中心を一致させ、ネジ、紐、ワイヤ、結束バンド等の固定手段（図示略）で固定可能になっている。なお、図８に示すように、本例の連結部１３を、太陽光発電パネルを水Ｗに浮かべるための太陽光発電パネル用フロート３１にも設けると、植栽用フロート１と太陽光発電パネル用フロート３１とを適宜連結することが可能になる。
【００３５】
以上のように構成された本例の植栽用フロート１によれば、貫通穴１１に給水部材１５を通すだけで給水が可能なため、必要な給水部材１５の量が少なく、簡単に装着できる。また、基体２を、中空の樹脂や金属等で構成したり、発泡体の表面を樹脂や金属で覆う構成にしたりすれば、紫外線に強く、強度があり、ゴルフボール等の打撃にも強くすることができる。
【００３６】
また、基体２の上面内に容器３を留めるように位置決めするためのガイド部１２を備えており、容器３を所定位置に載せるだけで位置決めされるので、容器３を基体２に位置決めするために、ＰＰバンドや結束バンド等の固定手段を用いる必要がなく、必要な資材と手間を省くことができる。
【００３７】
また、貫通穴１１は、その内周に給水部材１５の表面に食い込むように突条１１ａが設けられているので、給水部材１５が貫通穴１１から脱落することを防止できる。
【００３８】
また、貫通穴１１は、一対設けられており、給水部材１５は、該一対の貫通穴１１に対して１枚設けられ、中央部が基体２の上面側に配置されるとともに、両端部が当該一対の貫通穴１１を通して基体２の下面に露出するように装着可能に構成されている。この構成によれば、前記一対の貫通穴１１を介して給水部材１５が基体２に係止されるので、給水部材１５を位置ずれし難くすることができる。
【００３９】
また、貫通穴１１は、開口が長穴状に形成されているとともに、対となる貫通穴１１の前記開口の長径同士が略長方形を構成する平行な２辺の位置関係にあるように構成されている。この構成によれば、前記一対の貫通穴１１の間において、給水部材１５を前記長径全体に広げた状態で配設することができ、容器３に対し効率的に給水することができる。
【００４０】
また、ガイド部１２は、容器３の周囲を囲う壁状に形成されており、ガイド部１２により容器３が外部から見えにくくなるので、見栄えの低下を防止できる。
【００４１】
また、基体２は、中空に形成されるとともに、その内部に浮力調整用の物質を出し入れ可能に構成されているので、植物Ｐの生育に最適な水位となるように浮力を調整することができる。
【００４２】
また、基体２は、他の基体２と互いに連結するための連結部１３を備えているので、設置場所の形状や広さに応じて複数の基体２を適宜連結することができる。
【００４３】
なお、本発明は前記実施形態に限定されるものではなく、例えば以下のように、発明の趣旨から逸脱しない範囲で適宜変更して具体化することもできる。
（１）基体２を発泡スチロール等の発泡体で構成すること。また、その発泡体の表面を樹脂や金属等のカバーで覆うこと。
（２）本例で使用している容器３及びその内側に敷設されている不織布製のシート４に代えて、布又は不織布で受け箱状に形成された容器３（布又は不織布製のプランター等）を用いること。
（３）貫通穴１１を複数対設けること。
【符号の説明】
【００４４】
１    植栽用フロート
２    基体
２ａ  開口
３    容器
３ａ  穴
４    シート
５    培養土
１１    貫通穴
１１ａ  突条
１２    ガイド部
１２ａ  外周部
１２ｂ  仕切部
１３    連結部
１３ａ  連結穴
１４    キャップ
１５    給水部材
３１    太陽光発電パネル用フロート
Ｐ    植物
Ｗ    水
【図１】
2017216887.tif 000003
【図２】
2017216887.tif 000004
【図３】
2017216887.tif 000005
【図４】
2017216887.tif 000006
【図５】
2017216887.tif 000007
【図６】
2017216887.tif 000008
【図７】
2017216887.tif 000009
【図８】
2017216887.tif 000010